(57)【特許請求の範囲】
【請求項１】
砂防堰堤に上流側から下流側へ貫通して設けられる排水孔の閉塞防止構造であって、
複数の柱材が前記排水孔の上流側開口部に跨る配置で所要の間隔を開けて堰堤壁面に縦向き方向又は横向き方向に固定されていること、
前記柱材の側面には、軸方向に間隔をあけて掛止ブラケットと位置調整ブラケットが突設され、各ブラケットは前記開口部の対応する内周面にそれぞれ当接されていることを特徴とする、砂防堰堤の閉塞防止構造。
【請求項２】
砂防堰堤の水通し部に連通するように設けられるスリットの閉塞防止構造であって、
複数の梁材が前記スリットの上流側開口部に跨る配置で所要の間隔を開けて堰堤壁面に段状に固定されていること、
前記梁材の側面には、軸方向に間隔をあけて掛止ブラケットと位置調整ブラケットが突設され、各ブラケットは前記開口部の対応する内側面にそれぞれ当接されていることを特徴とする、砂防堰堤の閉塞防止構造。
【請求項３】
前記位置調整ブラケットは、固定ブラケットと可動ブラケットからなり、前記固定ブラケットは、前記柱材又は梁材の側面に設けられ、前記可動ブラケットは、前記柱材又は梁材の軸方向に移動可能な構成で前記固定ブラケットに支持されていることを特徴とする、請求項１又は２に記載した砂防堰堤の閉塞防止構造。
【請求項４】
砂防堰堤に上流側から下流側へ貫通して設けられる排水孔の閉塞防止工法であって、
軸方向に間隔をあけて掛止ブラケットと位置調整ブラケットを側面に設けた複数の柱材を所要の間隔をあけて前記排水孔に縦向き方向又は横向き方向に設けるにあたり、
各柱材の前記掛止ブラケットを前記排水孔の上流側開口部の対応する内周面に掛け止めた後、当該柱材を同開口部に跨がるように位置決めし、前記位置決めした柱材を堰堤壁面にアンカーボルトで固定すると共に、前記位置調整ブラケットを前記開口部の対応する内周面に当接するように位置調整してなることを特徴とする、砂防堰堤の閉塞防止工法。
【請求項５】
砂防堰堤の水通し部に連通するように設けられるスリットの閉塞防止工法であって、
軸方向に間隔をあけて掛止ブラケットと位置調整ブラケットを側面に設けた複数の梁材を所要の間隔をあけて前記スリットに段状に設けるにあたり、
各梁材の前記掛止ブラケットを前記スリットの上流側開口部の対応する内側面に掛け止めた後、当該梁材を同開口部に跨がるように位置決めし、前記位置決めした梁材を堰堤壁面にアンカーボルトで固定すると共に、前記位置調整ブラケットを前記開口部の対応する内側面に当接するように位置調整してなることを特徴とする、砂防堰堤の閉塞防止工法。
【発明の詳細な説明】
【技術分野】
【０００１】
この発明は、砂防堰堤に設けられた排水孔（水抜き孔）、又は砂防堰堤の水通し部に連通して設けられたスリットに良好なグレーチング機能を発揮させるための砂防堰堤の閉塞防止構造および閉塞防止工法の技術分野に属する。
【背景技術】
【０００２】
近年、砂防堰堤の形態には種々のバリエーションがあり、その中でも代表的なものとして、略中央部の堤体に水通し部を設けた砂防堰堤（不透過型砂防堰堤）、前記水通し部に連通するスリットを設けた砂防堰堤（スリット型砂防堰堤）がある。その他、前記堤体をなくし、代わりに鋼製柱材、鋼製枠材等を設けた鋼製スリットダムと称される砂防堰堤（透過型砂防堰堤）もある。
【０００３】
前記不透過型砂防堰堤は、概ね、水通し部の下方の底部又は中間部に１つ乃至複数の貫通した排水孔が形成されている。この排水孔は水抜き孔とも称され、小礫や土砂を流水とともに流下させる役割を果たすが、近年、開口部の拡大化、グレーチング機能を持たせる等の設置目的（設置部位）の多様化にともない、経時的に堆積する小礫や土砂による目詰まりや閉塞を防止することよりもむしろ、洪水時の土石（礫、巨礫）による目詰まりや閉塞を防止することが重要視される局面が増えた。
前記経時的に堆積する小礫や土砂による目詰まりや閉塞を防止する装置は、例えば、特許文献１、２に開示され、一応の効果は認められているものの、洪水時の土石による目詰まりや閉塞を防止して良好なグレーチング機能を発揮させるには、装置が無駄に大掛かりになり不経済であるほか、設置に難渋し、そもそも装置に課される目的が異なるなどあまりに不合理で、実用的、実効的ではないという問題があった。
【０００４】
一方、前記スリット型砂防堰堤は、平常時は小礫や土砂を流水とともに流下させ、洪水時は縮流効果（堰上効果）により土砂の一時的な大量流出や土石（巨礫）の流出を抑制して下流側の環境保全等に寄与する役割を果たすが、洪水の減水期に上流側に堆積した土砂が崩れて土石がスリットへ一気に流れ込むことにより下流側に悪影響を及ぼす虞があった。
この問題を解決する技術として、例えば、特許文献３には、スリット（２）の上流側開口部に、アンカーボルト（７ｃ）を用いて横梁（６）を段状に設けることにより、洪水減水期の土砂、土石の流出を制御する発明が開示されている。
しかし、両端部がアンカーボルトで固定された単なる棒状の横梁では、（特には洪水減水期に）土石が衝突する際の衝撃力によりアンカーボルトに引き抜き方向の反力が作用し、当該アンカーボルトが引き抜かれることによる横梁のずれ、ひいては脱落の虞があった。よって、アンカーボルトへ作用する引き抜き力を低減できれば、横梁のずれ、脱落を極力防止でき、土砂や土石の流出をより確実に制御し、良好なグレーチング機能を発揮できることは明らかである。
【先行技術文献】
【特許文献】
【０００５】
【特許文献１】実公昭６３−２３４５５号公報
【特許文献２】特許第２５８２６８１号公報
【特許文献３】特開平１１−５０４３５号公報
【発明の概要】
【発明が解決しようとする課題】
【０００６】
本発明は、上述した背景技術の課題に鑑みて案出されたものであり、その目的とするところは、前記不透過型砂防堰堤の排水孔、又は前記スリット型砂防堰堤のスリットに流れ込む土石（巨礫等）を効果的に捕捉でき、より確実で良好なグレーチング機能を発揮させることができる、実効性、経済性、及び作業性に優れた砂防堰堤の閉塞防止構造および閉塞防止工法を提供することにある。
【課題を解決するための手段】
【０００７】
上記課題を解決するための手段として、請求項１に記載した発明に係る砂防堰堤の閉塞防止構造は、砂防堰堤に上流側から下流側へ貫通して設けられる排水孔の閉塞防止構造であって、複数の柱材が前記排水孔の上流側開口部に跨る配置で所要の間隔を開けて堰堤壁面に縦向き方向又は横向き方向に固定されていること、
前記柱材の側面には、軸方向に間隔をあけて掛止ブラケットと位置調整ブラケットが突設され、各ブラケットは前記開口部の対応する内周面にそれぞれ当接されていることを特徴とする。
【０００８】
請求項２に記載した発明に係る砂防堰堤の閉塞防止構造は、砂防堰堤の水通し部に連通するように設けられるスリットの閉塞防止構造であって、複数の梁材が前記スリットの上流側開口部に跨る配置で所要の間隔を開けて堰堤壁面に段状に固定されていること、
前記梁材の側面には、軸方向に間隔をあけて掛止ブラケットと位置調整ブラケットが突設され、各ブラケットは前記開口部の対応する内側面にそれぞれ当接されていることを特徴とする。
【０００９】
請求項３に記載した発明は、請求項１又は２に記載した砂防堰堤の閉塞防止構造において、前記位置調整ブラケットは、固定ブラケットと可動ブラケットからなり、前記固定ブラケットは、前記柱材又は梁材の側面に設けられ、前記可動ブラケットは、前記柱材又は梁材の軸方向に移動可能な構成で前記固定ブラケットに支持されていることを特徴とする。
【００１０】
請求項４に記載した発明に係る砂防堰堤の閉塞防止工法は、砂防堰堤に上流側から下流側へ貫通して設けられる排水孔の閉塞防止工法であって、
軸方向に間隔をあけて掛止ブラケットと位置調整ブラケットを側面に設けた複数の柱材を所要の間隔をあけて前記排水孔に縦向き方向又は横向き方向に設けるにあたり、
各柱材の前記掛止ブラケットを前記排水孔の上流側開口部の対応する内周面に掛け止めた後、当該柱材を同開口部に跨がるように位置決めし、前記位置決めした柱材を堰堤壁面にアンカーボルトで固定すると共に、前記位置調整ブラケットを前記開口部の対応する内周面に当接するように位置調整してなることを特徴とする。
【００１１】
請求項５に記載した発明に係る砂防堰堤の閉塞防止工法は、砂防堰堤の水通し部に連通するように設けられるスリットの閉塞防止工法であって、
軸方向に間隔をあけて掛止ブラケットと位置調整ブラケットを側面に設けた複数の梁材を所要の間隔をあけて前記スリットに段状に設けるにあたり、
各梁材の前記掛止ブラケットを前記スリットの上流側開口部の対応する内側面に掛け止めた後、当該梁材を同開口部に跨がるように位置決めし、前記位置決めした梁材を堰堤壁面にアンカーボルトで固定すると共に、前記位置調整ブラケットを前記スリットの対応する内側面に当接するように位置調整してなることを特徴とする。
【発明の効果】
【００１２】
本発明に係る砂防堰堤の閉塞防止構造および閉塞防止工法によれば、前記柱材（又は梁材）が、その両端部をアンカーボルトで固定されることに加え、その背面の掛止ブラケット、位置調整ブラケットが排水孔（又はスリット）の上流側開口部の内周面（又は内側面）へ当接することにより、当該内周面（又は内側面）を押し付ける支圧効果を発揮する構成で実施するので、以下の作用効果を奏する。
１）洪水時等、柱材（梁材）に礫（巨礫）が衝突する衝撃力により、その両端部を固定するアンカーボルトに引き抜き力が作用するが、当該柱材（梁材）の背面に設けた掛止ブラケット、位置調整ブラケットの前記内周面（内側面）に対する前記支圧効果により、前記引き抜き力、ひいてはアンカーボルトの荷重負担を大幅に低減することができる。
また、前記掛止ブラケット、及び位置調整ブラケットは、前記柱材（梁材）の背面に設けられているので、当該柱材（梁材）で保護され、前記礫（巨礫）が直接衝突する虞がない。よって、前記支圧効果を確実に発揮することができる。
さらに、前記掛止ブラケットが、位置決め機能、ガイド機能のほか、作業中の柱材の荷重負担機能を奏することができるので作業性に優れている。掛止ブラケットのこれらの機能は、高所作業の場合に特に有益である。
以上要するに、前記柱材（梁材）のずれ、脱落を極力防止でき、良好なグレーチング機能を長期的に発揮できる実効性、経済性、および作業性に非常に優れた砂防堰堤の閉塞防止構造を実現することができる。
付随的効果として、前記掛止ブラケット、及び位置調整ブラケットの支圧効果により、全体的に前記柱材（梁材）の見かけの強度・剛性を向上させたと云えるので、当該掛止ブラケット、及び位置調整ブラケットがない場合と比し、アンカーボルトのサイズを下げることもできる。アンカーボルトが一部破損した場合等、前記掛止ブラケット、及び位置調整ブラケットの支圧効果で補うこともできる。
２）図２、図７に示すように、前記複数の柱材を同形同大で、かつ縦向き方向に揃えて実施する場合には、洪水時等に頻繁に発生する絡み合った巨礫、流木等のアーチアクションにより、巨礫、流木等が一塊の状態のまま当該柱材により効果的に捕捉することができる。
【図面の簡単な説明】
【００１３】
【図１】実施例１に係る砂防堰堤の閉塞防止構造および閉塞防止工法を概略的に示した立面図である。
【図２】図１の要部拡大図である。なお、掛止ブラケット、位置調整ブラケットは、図示の便宜上省略した。
【図３】Ａは、図２を横方向からみた側断面図であり、Ｂは、ＡのＢ−Ｂ線矢視拡大断面図であり、Ｃは、ＡのＣ−Ｃ線矢視拡大断面図であり、Ｄは、ＡのＤ−Ｄ線矢視拡大断面図である。
【図４】Ａ〜Ｂは、砂防堰堤の閉塞防止工法を段階的に示した説明図である。
【図５】Ａ〜Ｂは、図４Ｂに続く砂防堰堤の閉塞防止工法を段階的に示した説明図である。
【図６】Ａは、位置調整ブラケットのバリエーションの要部を示した断面図であり、Ｂは、掛止ブラケットのバリエーションの要部を示した断面図である。
【図７】実施例２に係る砂防堰堤の閉塞防止構造および閉塞防止工法を示した要部拡大図である。なお、掛止ブラケット、位置調整ブラケットは、図示の便宜上省略した。
【図８】実施例３に係る砂防堰堤の閉塞防止構造および閉塞防止工法を示した要部拡大図である。なお、掛止ブラケット、位置調整ブラケットは、図示の便宜上省略した。
【図９】実施例４に係る砂防堰堤の閉塞防止構造および閉塞防止工法を概略的に示した立面図である。
【図１０】実施例１に係る砂防堰堤の閉塞防止構造および閉塞防止工法のバリエーションを示した要部拡大図である。
【発明を実施するための形態】
【００１４】
次に、本発明に係る砂防堰堤の閉塞防止構造および閉塞防止工法の実施例を図面に基づいて説明する。
【実施例１】
【００１５】
本発明に係る砂防堰堤の閉塞防止構造は、図１〜図３に示したように、砂防堰堤１０に上流側から下流側へ貫通して設けられる排水孔８の閉塞防止構造であり、複数の柱材１が前記排水孔８の上流側開口部９に跨る配置で所要の間隔を開けて堰堤壁面１１に縦向き方向に固定されている。また、前記柱材１の側面には、軸方向に間隔をあけて掛止ブラケット２と位置調整ブラケット３が突設され、各ブラケット２、３は前記開口部９の対応する内周面９ａ、９ｂにそれぞれ当接されている。
【００１６】
図示例に係る砂防堰堤１０は、略中央部の堤体に水通し部１０ａを設けたいわゆる不透過型砂防堰堤１０であり、水通し部１０ａの下方の中間部に１つの貫通した排水孔８が形成されている。なお、前記排水孔８の設置部位および個数はこれに限定されず、水通し部１０ａの下方の底部に設けられる場合もあるし、複数設けられる場合もあり、本発明は、いずれの排水孔に対しても同様に適用できる。
図示例に係る砂防堰堤１０は、コンクリート砂防堰堤を想定しているが、コンクリート製に限らない。砂防堰堤１０の形態も勿論、図示例に限定されない。例えば、堰堤壁面１１の傾斜角度や排水孔８の水勾配は、設置する河川の性状等に応じて適宜設計変更されるが、本発明は、これら種々の形態の砂防堰堤を問わず、自在に適用できる（一例として、掛止ブラケット２、位置調整ブラケット３の形態の相違等について、図３Ａと図１０とを対比して参照）。
また、図示例の排水孔８の形態は、一例として、開口部９の断面を方形状で実施しているが、これに限定されず、円形断面の場合もある。ちなみに、本実施例１に係る排水孔８の開口部断面の大きさは排水孔８としては比較的大きい、縦横２．０ｍ程度の略正方形に形成されている。
【００１７】
本発明の主たる構成要素である前記柱材１は、開口部９の縦寸よりも十分に長く、両端部が閉塞された金属製の鋼管で実施されている。本実施例１では一例として、長さ３０６６ｍｍ、外径３１８．５ｍｍ、肉厚１２．７ｍｍの金属製鋼管が好適に用いられている。  前記柱材１は、その両端部の側面における前記堰堤壁面１１に対応する部位に、それぞれ補強リブ４ａで補強されたベースプレート４がぴったり当接するように溶接等の接合手段で一体的に設けられている。前記ベースプレート４の大きさは一例として、縦寸３４０ｍｍ、横寸５２０ｍｍで実施されている。
なお、図示例では、一対のベースプレート４、４で実施しているがこれに限定されない。もとよりベースプレート４の形態（形状、大きさ）は構造設計に応じて適宜設計変更されるが、後述するアンカーボルト１２への設置作業を考慮し、前記柱材１の径よりも幅広で実施され、アンカーボルト１２を通す部位にはボルト通し孔（ルーズ孔）が予め穿設されている。
【００１８】
また、前記柱材１は、その軸方向の側面に、所定の間隔をあけて掛止ブラケット２と位置調整ブラケット３が溶接等の接合手段で一体的に設けられている。
前記掛止ブラケット２は、図３Ａ、Ｄに示したように、鋼製プレートと鋼製リブとを組み合わせて柱材１の曲面に対して３点支持可能な安定した構成で溶接接合してなり、前記柱材１を縦向き方向にバランス良く位置決めしたとき、当該掛止ブラケット２の鋼製プレートの下面が、開口部９の内側面９ａへぴったり当接する位置に配設されている。
ちなみに、本実施例１に係る前記掛止ブラケット２は、一例として、せいが１５０ｍｍ程度、開口部９内への挿入寸法（突出寸法）が、もっとも長い開口部９の内側面９ａとの当接部で１５０ｍｍ程度で実施されている。
なお、前記掛止ブラケット２の形態（形状、大きさ）はもちろん図示例に限定されず、例えば、図６Ｂに示したように、前記掛止ブラケット２の内部の補強リブが無いバリエーションでも実施可能である等、要は、前記柱材１に作用する荷重（衝撃力）を前記開口部９の内側面９ａへ確実に伝達可能な形態であればよい。
【００１９】
一方、前記位置調整ブラケット３は、前記掛止ブラケット２を開口部９の一側の内側面９ａへ掛け止めたとき、位置調整して他側の内側面９ｂへ当接できる構成で実施される。  本実施例１に係る位置調整ブラケット３は、図３Ａ、Ｃに示したように、固定ブラケット３ａと可動ブラケット３ｂとからなり、前記固定ブラケット３ａは、前記柱材１の側面に設けられ、前記可動ブラケット３ｂは、前記柱材１の軸方向に移動可能な構成で前記固定ブラケット３ａに支持（軸支）された構成で実施されている。
【００２０】
具体的に、前記固定ブラケット３ａは、２枚の平行する鋼製プレート（一例として、縦２４０ｍｍ、横１５０ｍｍ、板厚１２ｍｍの方形状）からなり、前記掛止ブラケット２を開口部９の一側の内側面９ａへ掛け止めたとき、前記開口部９内に収まる位置に、さらにいえば他側の内側面９ｂの近傍位置に、前記柱材１の側面に対し両腕状に配置して溶接等の接合手段で一体的に設けられている。当該固定ブラケット３ａを構成する２枚の平行する鋼製プレートはそれぞれ、その前方部の上下に、縦方向に長い長孔（ルーズ孔）３ｃが２箇所ずつ共通する配置に穿設されている。
【００２１】
前記可動ブラケット３ｂは、鋼製プレートと鋼製リブとを組み合わせて前記固定ブラケット３ａとともに柱材１の曲面に対して３点支持可能な安定した構成で溶接接合してなり、前記固定ブラケット３ａに設けた長孔３ｃにボルト、ナットを利用して吊り支持される構成で実施されている。
なお、前記長孔３ｃは、開口部９の内周面９ｂに対する可動ブラケット３ｂの当接状態を良好に保持するべく、所定の間隔をあけて上下方向に２箇所ずつ設けて実施されている。前記長孔３ｃのサイズは、一例として長軸が６０ｍｍ程度で実施しているがこれに限定されず、当該長孔３ｃを利用して上下に移動する可動ブラケット３ｂの上側の鋼製プレートが、開口部９の内周面９ｂへ十分に当接するように接近又は離反可能な長さに設定される。
ちなみに、前記可動ブラケット３ｂは、一例として、縦寸法が２８０ｍｍ程度、開口部９内への挿入寸法（突出寸法）は、もっとも長い開口部９の内側面９ｂとの当接部で１５０ｍｍ程度で実施されている。
【００２２】
なお、前記固定ブラケット３ａと可動ブラケット３ｂとからなる位置調整ブラケット３の形態（形状、大きさ）は図示例に限定されず、要は、前記柱材１に作用する荷重（衝撃力）を前記開口部９の内側面９ｂへ確実に伝達可能な形態であればよい。例えば、図６Ａに示したように、可動ブラケット３ｂを軸支するボルトを通しボルト１３で実施することにより、一方向からボルトを締め又は緩めて固定ブラケット３ａに対して適宜相対移動させ得る等の作業効率を高める工夫は適宜行われるところである。ちなみに図中の符号１４は、可動ブラケット３ｂの内側面に定着され、前記通しボルト１３を嵌挿させる鞘管（スペーサ）を示している。この鞘管１４は、前記可動ブラケット３ｂはもとより固定ブラケット３ａの形態保持の役割を果たしている。
【００２３】
かくして、上記構成の柱材１を用いた砂防堰堤の閉塞防止構造は、複数（図示例では３本）の同形同大の柱材１が前記排水孔８の上流側開口部９に跨る配置で所要の間隔を開けて堰堤壁面１１に縦向き方向にバランスよく配置され、アンカーボルト１２で固定されている。また、前記柱材１の側面に所定の間隔をあけて設けた掛止ブラケット２と位置調整ブラケット３は、前記開口部９の対応する内側面９ａ、９ｂに、当該柱材１に作用する荷重（衝撃力）を伝達可能な構成で当接されている。
【００２４】
次に、上記構成の柱材１を用いて施工する砂防堰堤の閉塞防止工法について説明する。
この閉塞防止工法は、大要、図４、図５に段階的に示したように、軸方向に間隔をあけて掛止ブラケット２と位置調整ブラケット３を側面に設けた複数の柱材１を所要の間隔をあけて前記排水孔８に縦向き方向に設けるにあたり、各柱材１の前記掛止ブラケット２を前記排水孔８の上流側開口部９の対応する内周面９ａに掛け止めた後、当該柱材１を同開口部８にバランスよく跨がるように位置決めし、前記位置決めした柱材１を堰堤壁面１１にアンカーボルト１２で固定すると共に、前記位置調整ブラケット３を前記開口部９の対応する内周面９ｂに当接するように位置調整して施工する。
【００２５】
具体的に、施工準備段階として、実施する排水孔８の開口部９の形態、および砂防堰堤１０に到達すると想定される礫径等の設計材料をもとにした構造設計により、好適な柱材１のサイズ、使用本数、および設置間隔を決定する。
本実施例１では、構造設計に基づき、縦横２．０ｍ四方の正方形状の開口部９に対し、長さ３０６６ｍｍ、外径３１８．５ｍｍ、肉厚１２．７ｍｍの同形同大の柱材（金属製鋼管）１を３本用意し、柱１、１同士の間隔を４５０ｍｍ程度、端部の柱１と開口部９の側壁との隙間を５０〜６０ｍｍ程度確保する部位に配設する。なお、３本の柱材１を堰堤壁面１１に固定する順は問わない。
前記柱材１は、図４Ａに示したように、予め、前記固定ブラケット２、前記位置調整ブラケット３、および前記ベースプレート４、４を前記した所定部位に備え付けておく。前記位置調整ブラケット３の可動ブラケット３ｂは、この段階では、固定ブラケット３ａの長孔３ｃにボルト、ナットを利用して下側に吊り支持させておく。また、砂防堰堤１０側には、堰堤壁面１１の所定部位に、あと施工アンカー工法により所定本数（本実施例では１本の柱材１あたり上下に４本ずつの計８本）のアンカーボルト（一例として、Ｍ２２）１２を埋め込んでおく。
【００２６】
前記準備が整った段階で、先ず、図４Ａ、Ｂに段階的に示したように、前記柱材１を重機等（図示省略）で吊り上げ、その掛止ブラケット２の下面を、前記排水孔８の上流側開口部９の対応する内周面９ａの上面に掛け止めつつ、下部ベースプレート４に設けたボルト通し孔（ルーズ孔）へ対応するアンカーボルト１２の先端部を差し込む。
続いて、図５Ａに示したように、柱材１の荷重を掛止ブラケット２を介して開口部９の内周面９ａに預けながら、当該柱材１の姿勢を漸次倒伏（傾斜）させて、上部ベースプレート４に設けたボルト通し孔へ対応するアンカーボルト１２の先端部を差し込み、当該柱材１の上下のベースプレート４が堰堤壁面１１の法勾配に対し略平行になる前傾姿勢とする。
続いて、前記姿勢を保持しながら、作業者が柱材１を推し進めると、前記掛止ブラケット２（の下面）が前記内周面９ａの上面を摺動し、ついには図５Ｂに示したように、前記掛止ブラケット２が前記内周面９ａの上面に密着すると共に、当該柱材１の上下のベースプレート４、４も前記堰堤壁面１１に密着する。この作業は、前記掛止ブラケット２はもとより前記アンカーボルト１２もガイドの役割を果たすので、スムーズに行うことができる。なお、前記ベースプレート４に設けるボルト通し孔は、堰堤壁面１１に対する柱材１の位置調整を容易ならしめるべく、長孔等の比較的大きい孔で実施することが好ましい。
この段階で前記アンカーボルト１２の締結作業を行い、柱材１を堰堤壁面１１に固定する。
しかる後、前記位置調整ブラケット３の可動ブラケット３ｂを、固定ブラケット３ａに対して上方へ相対移動させると、ついには当該可動ブラケット３ｂ（の鋼製プレート）の上面が前記開口部９の対応する内周面９ｂに当接する。この段階でボルト、ナットの締結作業（本締め作業）を行い、当該可動ブラケット３ｂを固定する（図３Ａ参照）。
この一連の作業を複数（本実施例では３本）の柱材１に対してそれぞれ行い、砂防堰堤の閉塞防止構造を構築する。
【００２７】
したがって、上記した本発明に係る砂防堰堤の閉塞防止構造および閉塞防止工法によれば、前記柱材１が、その両端部をアンカーボルト１２で固定されることに加え、その背面の掛止ブラケット２、位置調整ブラケット３が排水孔８の上流側開口部９の内周面９ａ、９ｂへ当接（密着）することにより、当該（コンクリート）内周面９ａ、９ｂを押し付ける支圧効果を発揮する構成で実施するので、以下の作用効果を奏する。
１）洪水時等、柱材１に礫（巨礫）が衝突する衝撃力により、その両端部を固定するアンカーボルト１２に引き抜き力が作用するが、当該柱材１の背面に設けた掛止ブラケット２、位置調整ブラケット３の前記内周面９ａ、９ｂに対する前記支圧効果により、前記引き抜き力、ひいてはアンカーボルト１２の荷重負担を大幅に低減することができる。
また、前記掛止ブラケット２、及び位置調整ブラケット３は、前記柱材１の背面に設けられているので、当該柱材１で保護され、前記礫（巨礫）が直接衝突する虞がない。よって、前記支圧効果を確実に発揮することができる。
さらに、前記掛止ブラケット２が、位置決め機能、ガイド機能のほか、作業中の柱材１の荷重負担機能を奏することができるので作業性に優れている。掛止ブラケット２のこれらの機能は、高所作業の場合に特に有益である。
以上要するに、前記柱材１のずれ、脱落を極力防止でき、良好なグレーチング機能を長期的に発揮できる実効性、経済性、および作業性に非常に優れた砂防堰堤の閉塞防止構造を実現することができる。
付随的効果として、前記掛止ブラケット２、及び位置調整ブラケット３の支圧効果により、全体的に前記柱材１の見かけの強度・剛性を向上させたと云えるので、当該掛止ブラケット２、及び位置調整ブラケット３がない場合と比し、アンカーボルト１２のサイズを下げることもできる。アンカーボルト１２が一部破損した場合等、前記掛止ブラケット２、及び位置調整ブラケット３の支圧効果で補うこともできる。
２）前記複数の柱材１は同形同大で、かつ縦向き方向に揃えられた構成で実施しているので、洪水時等に頻繁に発生する絡み合った巨礫、流木等のアーチアクションにより、巨礫、流木等が一塊の状態のまま当該柱材１により効果的に捕捉することもできる。
【実施例２】
【００２８】
図７は、実施例２に係る砂防堰堤の閉塞防止構造および閉塞防止工法の実施例を示している。
この実施例２は、上記実施例１とコンセプトは同じで、施工対象となる排水孔８の開口部９の大きさ、これに伴う柱材１の長さ、及び使用本数が相違する。
すなわち、本実施例２に係る排水孔８の開口部９断面の大きさは、縦寸が横１．５ｍ程度、横寸が１．２ｍ程度の方形状であり、上記実施例１に係る開口部９と比して小さい。
これに伴い、前記柱材１は、長さ２３００ｍｍ、外径３１８．５ｍｍ、肉厚１２．７ｍｍの同形同大の柱材（金属製鋼管）１を２本用意する。
ちなみに、柱１、１同士の間隔は４５０ｍｍ程度、端部の柱１と開口部９の側壁との隙間は５０〜６０ｍｍ程度確保する点は上記実施例１と同様である。その他の構成要素である、前記掛止ブラケット２、位置調整ブラケット３、及びベースプレート４の構成も上記実施例１と同様である。
この実施例２に係る閉塞防止工法の作業手順も上記実施例１と同様である。
【００２９】
したがって、上記実施例２に係る砂防堰堤の閉塞防止構造および閉塞防止工法によれば、上記実施例１と同様に、前記柱材１が、その両端部をアンカーボルト１２で固定されることに加え、その背面の掛止ブラケット２、位置調整ブラケット３が排水孔８の上流側開口部９の内周面９ａ、９ｂへ当接（密着）することにより、当該（コンクリート）内周面９ａ、９ｂを押し付ける支圧効果を発揮する構成に変わりがないので、上記実施例１と同様の作用効果を奏する（前記段落［００２７］参照）。
【実施例３】
【００３０】
図８は、実施例３に係る砂防堰堤の閉塞防止構造および閉塞防止工法の実施例を示している。
この実施例３は、上記実施例１と比し、前記柱材１を横向き方向に設けて実施している点が相違する。
施工対象となる排水孔８の開口部９の大きさ、これに伴う柱材１の形態、及び使用本数、及びその他の構成要素である、前記掛止ブラケット２、位置調整ブラケット３、及びベースプレート４の構成も上記実施例１と同様である。
この実施例３に係る閉塞防止工法の作業性については、前記柱材１を横向き方向で実施する構成であるが故に、上記実施例１と比し、掛止ブラケット２に柱材１の荷重を預けて施工できる点については少し劣るものの、位置決め機能、ガイド的機能を発揮することに変わりはない。
【００３１】
したがって、上記実施例３に係る砂防堰堤の閉塞防止構造および閉塞防止工法によれば、上記実施例１と同様に、前記柱材１が、その両端部をアンカーボルト１２で固定されることに加え、その背面の掛止ブラケット２、位置調整ブラケット３が排水孔８の上流側開口部９の内周面９ｃ、９ｄへ当接（密着）することにより、当該（コンクリート）内周面９ｃ、９ｄを押し付ける支圧効果を発揮する構成に変わりがないので、上記実施例１と同様の作用効果を奏する（前記段落［００２７］の（１）参照）。
【実施例４】
【００３２】
図９は、実施例４に係る砂防堰堤の閉塞防止構造および閉塞防止工法の実施例を示している。
この実施例４は、上記実施例１と比し、施工対象が異なるものの、前記柱材１を横向き方向に設けて実施する上記実施例３に倣って実施することができる。
【００３３】
すなわち、この実施例４に係る砂防堰堤の閉塞防止構造は、砂防堰堤２０の水通し部２０ａに連通するように設けられるスリット１８の閉塞防止構造であり、複数の梁材１’が前記スリット１８の上流側開口部１９に跨る配置で所要の間隔を開けて堰堤壁面２１に段状に固定されている。また、適宜図３Ａ〜Ｄを援用して説明すると、前記梁材１’の側面には、軸方向に間隔をあけて掛止ブラケット２と位置調整ブラケット３が突設され、各ブラケット２、３は前記開口部１９の対応する内側面にそれぞれ当接されている。
要するに、この実施例４は、上記実施例１等と比し、施工対象が排水孔８とスリット１８とで異なるので、梁材１’（柱材１）の使用本数は異なるものの、梁材１’の形態、及びその他の構成要素である、前記掛止ブラケット２、位置調整ブラケット３、及びベースプレート４の構成は上記実施例１と同様にして実施できる。
【００３４】
この実施例４に係る閉塞防止工法の作業手順については、上記実施例３と同様に行うことができる。すなわち、軸方向に間隔をあけて掛止ブラケット２と位置調整ブラケット３を側面に設けた複数の梁材１’を所要の間隔をあけて前記スリット１８に段状に設けるにあたり、各梁材１’の前記掛止ブラケット２を前記スリット１８の上流側開口部１９の対応する内側面に掛け止めた後、当該梁材１’を同開口部１９に跨がるように位置決めし、前記位置決めした梁材１’を堰堤壁面２１にアンカーボルト１２で固定すると共に、前記位置調整ブラケット３を前記開口部１９の対応する内側面に当接するように位置調整してなる。
【００３５】
したがって、上記実施例４に係る砂防堰堤の閉塞防止構造および閉塞防止工法によれば、上記実施例１〜３と同様に、前記梁材１’が、その両端部をアンカーボルト１２で固定されることに加え、その背面の掛止ブラケット２、位置調整ブラケット３が前記スリット１８の上流側開口部１９の対応する内側面へ当接（密着）することにより、当該（コンクリート）内側面を押し付ける支圧効果を発揮する構成に変わりがないので、上記実施例１〜３と同様の作用効果を奏する（前記段落［００２７］の（１）参照）。
【００３６】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
例えば、前記掛止ブラケット２、位置調整ブラケット３について、施工対象（排水孔８、スリット１８）の内周面９ａ〜９ｄ（内側面）に当接する側の鋼製プレートに緩衝材を貼着して実施する等の工夫は適宜行われるところである。
【符号の説明】
【００３７】
１    柱材
１’  梁材
２    掛止ブラケット
３    位置調整ブラケット
３ａ  固定ブラケット
３ｂ  可動ブラケット
３ｃ  長孔
４    ベースプレート
４ａ  補強リブ
８    排水孔
９    開口部
９ａ、９ｂ、９ｃ、９ｄ  内周面
１０    砂防堰堤
１０ａ  水通し部
１１    堰堤壁面
１２    アンカーボルト
１３    通しボルト
１４    鞘管
１８    スリット
１９    開口部
２０    砂防堰堤
２０ａ  水通し部
２１    堰堤壁面
【図１】
0006636837.tif 000002
【図２】
0006636837.tif 000003
【図３】
0006636837.tif 000004
【図４】
0006636837.tif 000005
【図５】
0006636837.tif 000006
【図６】
0006636837.tif 000007
【図７】
0006636837.tif 000008
【図８】
0006636837.tif 000009
【図９】
0006636837.tif 000010
【図１０】
0006636837.tif 000011